(57)【要約】    【課題】モバイル端末装置の許可のない使用を報知する方法、装置等を提供する。    【解決手段】本発明の方法は、モバイル端末装置にセットされた所有者の加入者識別モジュールカードの加入者識別データを、メモリユニットに記憶させ（Ｓ１）、モバイル端末装置の所有者に、所有者の加入者識別モジュールカードに関連する呼出し番号を含む発呼者警報グループを設定させ（Ｓ２）、モバイル端末装置が後に起動する際に、モバイル端末装置にセットされた加入者識別モジュールカードに従って、モバイル端末装置と通信網との間で通信リンクを確立し（Ｓ３）、モバイル端末装置のメモリユニットに記憶されている加入者識別データが、モバイル端末装置にセットされた加入者識別モジュールカードの加入者識別データと一致するか否かを判断し（Ｓ４）、一致しない場合、モバイル端末装置は、通信網を介して、メッセージを発呼者警報グループに送信する（Ｓ５）。【選択図】図２Ａ
2005080266.tif 000002
【特許請求の範囲】
【請求項１】
加入者識別データを含む、通信網との無線通信用の加入者識別モジュールカードをセットすることができるように構成されたモバイル端末装置の許可のない使用を報知する方法であって、
（ａ）前記モバイル端末装置の所有者が、該所有者の前記加入者識別モジュールカードの前記加入者識別データを、前記モバイル端末装置のメモリユニットに記憶することができるようにするステップと、
（ｂ）前記モバイル端末装置の前記所有者が、前記加入者識別モジュールカードに関連する呼出し番号を含む発呼者警報グループを設定することができるようにするステップと、
（ｃ）前記モバイル端末装置が後に起動する際、前記モバイル端末装置が、該モバイル端末装置にセットされた前記加入者識別モジュールカードに従って、前記通信網と通信リンクを確立することを可能にするステップと、
（ｄ）前記通信網と前記通信リンクを確立したとき、前記モバイル端末装置の前記メモリユニットに記憶されている前記加入者識別データが、前記モバイル端末装置にセットされた前記加入者識別モジュールカードの加入者識別データと一致するか否かを判断するステップと、
（ｅ）一致しないと判断した場合、前記モバイル端末装置が、前記通信網を介して、前記モバイル端末装置にセットされた前記加入者識別モジュールカードの前記加入者識別データと、前記モバイル端末装置に関連する機器シリアルコードとを含むメッセージを、前記発呼者警報グループに送信することができるようにするステップとを含むことを特徴とするモバイル端末装置の許可のない使用を報知する方法。
【請求項２】
前記ステップ（ａ）で、さらに、前記モバイル端末装置の前記所有者が、前記メモリユニットに、基準セキュリティコードを記憶させることができるように、
（ｆ）一致すると判断した場合、前記モバイル端末装置のユーザが、セキュリティコードを入力することができるようにするステップと、
（ｇ）前記セキュリティコードが、前記基準セキュリティコードと一致するか否かを判断するステップと、
（ｈ）前記セキュリティコードが、前記基準セキュリティコードと一致すると判断した場合、前記モバイル端末装置をさらに動作可能にするステップとを、さらに含むことを特徴とする請求項１に記載のモバイル端末装置の許可のない使用を報知する方法。
【請求項３】
（ｉ）前記入力されたセキュリティコードが、前記基準セキュリティコードと一致しないと判断した場合、前記モバイル端末装置の前記ユーザが、別のセキュリティコードを入力することができるようにするステップと、
（ｊ）前記別のセキュリティコードが、前記基準セキュリティコードと一致するか否かを判断するステップと、
（ｋ）前記入力されたセキュリティコードが、前記基準セキュリティコードと一致するまで所定の試行回数だけ、ステップ（ｉ）および（ｊ）を繰り返すステップとを、さらに含むことを特徴とする請求項２に記載のモバイル端末装置の許可のない使用を報知する方法。
【請求項４】
（ｌ）前記所定の試行回数の後、一致するセキュリティコードが未だに入力されていないと判断した場合、前記モバイル端末装置を使用不可にするステップを、さらに含むことを特徴とする請求項３に記載のモバイル端末装置の許可のない使用を報知する方法。
【請求項５】
前記ステップ（ｅ）で送信される前記メッセージが、前記モバイル端末装置と前記通信網との間の前記通信リンクに帰属するセルに関する場所情報をさらに含むことを特徴とする請求項１に記載のモバイル端末装置の許可のない使用を報知する方法。
【請求項６】
モバイル端末装置の許可のない使用を報知することができるようにするための加入者識別データを含む、通信網との無線通信用の加入者識別モジュールカードをセットすることができるように構成されたユーザ入力ユニットと、メモリユニットと、前記ユーザ入力ユニットおよび前記メモリユニットに接続されたプロセッサユニットとを含んで構成された前記モバイル端末装置用のコンピュータプログラムであって、
コンピュータに、
前記モバイル端末装置の所有者が、該所有者の前記加入者識別モジュールカードに記憶された前記加入者識別データを、前記モバイル端末装置の前記メモリユニットに記憶させることができるように、前記プロセッサユニットに命令する第１のコードと、
前記モバイル端末装置の前記所有者が、前記ユーザ入力ユニットを介して、前記モバイル端末装置の前記加入者識別モジュールカードに関連する呼出し番号を含む発呼者警報グループを設定することができるように、前記プロセッサユニットに命令する第２のコードと、
前記モバイル端末装置が、前記モバイル端末装置が後に起動する際に、前記モバイル端末装置にセットされた前記加入者識別モジュールカードに従って、前記通信網と通信リンクを確立することができるように、前記プロセッサユニットに命令する第３のコードと、
前記通信網と通信リンクが確立されたときに、前記モバイル端末装置の前記メモリユニットに記憶されている前記加入者識別データが、前記モバイル端末装置にセットされた前記加入者識別モジュールカードの前記加入者識別データと一致するか否かを判断するように、前記プロセッサユニットに命令する第４のコードと、
一致しないと判断した場合、前記モバイル端末装置が、前記通信網を介して、前記モバイル端末装置にセットされた前記加入者識別モジュールカードの前記加入者識別データと、前記モバイル端末装置に関連する機器シリアルコードとを含むメッセージを、前記発呼者警報グループに送信することができるように、前記プロセッサユニットに命令する第５のコードとを実行させることを特徴とするコンピュータプログラム。
【請求項７】
前記メッセージが、前記モバイル端末装置と前記通信網との間の前記通信リンクに帰属するセルの場所情報を、さらに含むことを特徴とする請求項６に記載のプログラム。
【請求項８】
加入者識別データを含む、通信網との無線通信用の加入者識別モジュールカードをセットすることができるように構成されたモバイル端末装置であって、
メモリユニットと、
前記モバイル端末装置の所有者が、該所有者の前記加入者識別モジュールカードの前記加入者識別データを、前記メモリユニットに記憶させることができるようにする手段と、
前記モバイル端末装置の前記所有者が、前記モバイル端末装置の前記所有者の前記加入者識別モジュールカードに関連する呼出し番号を含む発呼者警報グループを設定することができるようにする手段と、
前記モバイル端末装置が、該モバイル端末装置が後に起動する際に、前記モバイル端末装置にセットされた前記加入者識別モジュールカードに従って、前記通信網と通信リンクを確立することを可能にする手段と、
前記通信網と前記通信リンクが確立されたときに、前記メモリユニットに記憶されている前記加入者識別データが、前記モバイル端末装置にセットされた前記加入者識別モジュールカードの前記加入者識別データと一致するか否かを判断する手段と、
一致しないと判断した場合、前記モバイル端末装置が、前記通信網を介して、前記モバイル端末装置にセットされた前記加入者識別モジュールカードの前記加入者識別データと、前記モバイル端末装置に関連する機器シリアルコードとを含むメッセージを、前記発呼者警報グループに送信することができるようにする手段とを含んで構成されていることを特徴とするモバイル端末装置。
【請求項９】
前記メッセージが、前記モバイル端末装置と前記通信網との間の前記通信リンクに帰属するセルの場所情報を、さらに含むことを特徴とする請求項８に記載のモバイル端末装置。
【請求項１０】
前記モバイル端末装置が、携帯型電子機器であることを特徴とする請求項８に記載のモバイル端末装置。
【請求項１１】
前記携帯型電子機器が、携帯型コンピュータ、モバイル電話機、電子ブック及びパーソナルデジタルアシスタントのうちのいずれかであることを特徴とする請求項１０に記載のモバイル端末装置。
【請求項１２】
ユーザ入力ユニットと、メモリユニットと、前記ユーザ入力ユニットおよび前記メモリユニットに接続されたプロセッサユニットとを備え、加入者識別データを含む、通信網との無線通信用の加入者識別モジュールカードをセットすることができるように構成されたモバイル端末装置の許可のない使用を報知する機能を、コンピュータに実行させるためのコンピュータプログラムが記録された記録媒体であって、
前記コンピュータプログラムが、
前記モバイル端末装置の所有者が、該所有者の前記加入者識別モジュールカードの前記加入者識別データを、前記メモリユニットに記憶させることができるように、前記プロセッサユニットに命令する第１のコードと、
前記モバイル端末装置の前記所有者が、前記ユーザ入力ユニットを介して、前記モバイル端末装置の前記加入者識別モジュールカードに関連する呼出し番号を含む発呼者警報グループを設定することができるように、前記プロセッサユニットに命令する第２のコードと、
前記モバイル端末装置が、該モバイル端末装置が後に起動する際に、前記モバイル端末装置にセットされた前記加入者識別モジュールカードに従って、前記通信網と通信リンクを確立することができるように、前記プロセッサユニットに命令する第３のコードと、
前記通信網と通信リンクが確立されたときに、前記メモリユニットに記憶されている前記加入者識別データが、前記モバイル端末装置にセットされた前記加入者識別モジュールカードの前記加入者識別データと一致するか否かを判断するように、前記プロセッサユニットに命令する第４のコードと、
一致しないと判断した場合に、前記モバイル端末装置が、前記通信網を介して、前記モバイル端末装置にセットされた前記加入者識別モジュールカードの前記加入者識別データと、前記モバイル端末装置に関連する機器シリアルコードとを含むメッセージを、前記発呼者警報グループに送信することができるように、前記プロセッサユニットに命令する第５のコードとを含むことを特徴とする、コンピュータプログラムが記録されたコンピュータ読み取り可能な記録媒体。
【請求項１３】
前記メッセージが、前記モバイル端末装置と前記通信網との間の前記通信リンクに帰属するセルの場所情報を、さらに含むことを特徴とする請求項１２に記載のコンピュータ読み取り可能な記録媒体。
【請求項１４】
前記モバイル端末装置が、携帯型電子機器であることを特徴とする請求項１２に記載のコンピュータ読み取り可能な記録媒体。
【請求項１５】
前記携帯型電子機器が、携帯型コンピュータ、モバイル電話機、電子ブック及びパーソナルデジタルアシスタントのうちのいずれかであることを特徴とする請求項１４に記載のコンピュータ読み取り可能な記録媒体。
【発明の詳細な説明】
【技術分野】
【０００１】
本発明は、モバイル端末装置に関し、より詳細には、モバイル端末装置の許可のない使用を報知する方法、モバイル端末装置、その方法をコンピュータに実行させるためのプログラム及びそのプログラムが記録された記録媒体に関する。
【背景技術】
【０００２】
モバイル電話機などのモバイル端末装置は、通常モバイル端末装置の許可のない使用を防止するために、盗難防止手段を備えている。ただし、モバイル端末装置が置き忘れられたとき、または盗まれたときには、従来の盗難防止手段では、モバイル端末装置を見つけ出すことが困難である。
【発明の開示】
【発明が解決しようとする課題】
【０００３】
したがって、本発明の目的は、モバイル端末装置の許可のない使用を示す方法を提供することにある。
【課題を解決するための手段】
【０００４】
本発明に係る一つの方法は、通信網との無線通信用の加入者識別モジュールカードをセットすることができるように構成された、モバイル端末装置に対する許可のない使用を表示する方法を提供する。なお、加入者識別モジュールカードは、加入者識別データを含むものである。
【０００５】
本発明に係る方法は、（ａ）前記モバイル端末装置の所有者が、該所有者の加入者識別モジュールカードの加入者識別データを、前記モバイル端末装置のメモリユニットに記憶することができるようにするステップと、（ｂ）前記モバイル端末装置の所有者が、自身の加入者識別モジュールカードに関連する呼出し番号を含む発呼者警報グループを設定することができるようにするステップと、（ｃ）前記モバイル端末装置が後に起動する際に、前記モバイル端末装置が、該モバイル端末装置にセットされた前記加入者識別モジュールカードに従って、通信網と通信リンクを確立することを可能にするステップと、（ｄ）前記通信網と通信リンクを確立したとき、前記モバイル端末装置のメモリユニットに記憶されている加入者識別データが、モバイル端末装置にセットされた前記加入者識別モジュールカードの前記加入者識別データと一致するか否かを判断するステップと、（ｅ）一致しないと判断した場合、前記モバイル端末装置が、前記通信網を介して、前記モバイル端末装置にセットされた前記加入者識別モジュールカードの前記加入者識別データと、前記モバイル端末装置に関連する機器シリアルコードとを含むメッセージを、前記発呼者警報グループに送信することができるようにするステップとを含むことを特徴としている。
【０００６】
また、本発明に係るコンピュータ用のプログラムは、モバイル端末装置の許可のない使用を報知することができるようにするための加入者識別データを含む、通信網との無線通信用の加入者識別モジュールカードをセットすることができるように構成されたユーザ入力ユニットと、メモリユニットと、前記ユーザ入力ユニットおよび前記メモリユニットに接続されたプロセッサユニットとを含んで構成された前記モバイル端末装置用のコンピュータプログラムであって、コンピュータに、前記モバイル端末装置の所有者が、該所有者の前記加入者識別モジュールカードに記憶された加入者識別データを、前記モバイル端末装置の前記メモリユニットに記憶させることができるように、前記プロセッサユニットに命令する第１のコードと、前記モバイル端末装置の所有者が、前記ユーザ入力ユニットを介して、前記モバイル端末装置の前記加入者識別モジュールカードに関連する呼出し番号を含む発呼者警報グループを設定することができるように、前記プロセッサユニットに命令する第２のコードと、前記モバイル端末装置が、前記モバイル端末装置が後に起動する際に、前記モバイル端末装置にセットされた前記加入者識別モジュールカードに従って、前記通信網と通信リンクを確立することができるように、前記プロセッサユニットに命令する第３のコードと、前記通信網と通信リンクが確立されたときに、前記モバイル端末装置の前記メモリユニットに記憶されている前記加入者識別データが、前記モバイル端末装置にセットされた前記加入者識別モジュールカードの前記加入者識別データと一致するか否かを判断するように、前記プロセッサユニットに命令する第４のコードと、一致しないと判断した場合、前記モバイル端末装置が、前記通信網を介して、前記モバイル端末装置にセットされた前記加入者識別モジュールカードの前記加入者識別データと、前記モバイル端末装置に関連する機器シリアルコードとを含むメッセージを、前記発呼者警報グループに送信することができるように、前記プロセッサユニットに命令する第５のコードとを実行させることを特徴としている。
【０００７】
また、本発明に係るモバイル端末装置は、加入者識別データを含む、通信網との無線通信用の加入者識別モジュールカードをセットすることができるように構成されたモバイル端末装置であって、メモリユニットと、前記モバイル端末装置の所有者が、該所有者の前記加入者識別モジュールカードの前記加入者識別データを、前記メモリユニットに記憶させることができるようにする手段と、前記モバイル端末装置の前記所有者が、前記モバイル端末装置の前記所有者の前記加入者識別モジュールカードに関連する呼出し番号を含む発呼者警報グループを設定することができるようにする手段と、前記モバイル端末装置が、該モバイル端末装置が後の起動する際に、前記モバイル端末装置にセットされた前記加入者識別モジュールカードに従って、前記通信網と通信リンクを確立することを可能にする手段と、前記通信網と通信リンクが確立されたときに、前記メモリユニットに記憶されている前記加入者識別データが、前記モバイル端末装置にセットされた前記加入者識別モジュールカードの前記加入者識別データと一致するか否かを判断する手段と、一致しないと判断した場合、前記モバイル端末装置が、前記通信網を介して、前記モバイル端末装置にセットされた前記加入者識別モジュールカードの前記加入者識別データと、前記モバイル端末装置に関連する機器シリアルコードとを含むメッセージを、前記発呼者警報グループに送信することができるようにする手段とを含んで構成されていることを特徴としている。
【０００８】
また、本発明に係るコンピュータプログラムが記録された記録媒体は、ユーザ入力ユニットと、メモリユニットと、前記ユーザ入力ユニットおよび前記メモリユニットに接続されたプロセッサユニットとを備え、加入者識別データを含む、通信網との無線通信のための加入者識別モジュールカードをセットすることができるように構成されたモバイル端末装置に、該モバイル端末装置の許可のない使用を報知する機能を、コンピュータに実行させるためのコンピュータプログラムが記録された記録媒体であって、前記コンピュータプログラムが、前記モバイル端末装置の所有者が、該所有者の前記加入者識別モジュールカードの前記加入者識別データを、前記メモリユニットに記憶させることができるように、プロセッサユニットに命令する第１のコードと、前記モバイル端末装置の前記所有者が、前記ユーザ入力ユニットを介して、前記モバイル端末装置の前記加入者識別モジュールカードに関連する呼出し番号を含む発呼者警報グループを設定することができるように、前記プロセッサユニットに命令する第２のコードと、前記モバイル端末装置が、該モバイル端末装置が後に起動する際に、前記モバイル端末装置にセットされた前記加入者識別モジュールカードに従って、前記通信網と通信リンクを確立することができるように、前記プロセッサユニットに命令する第３のコードと、前記通信網と通信リンクが確立されたときに、前記メモリユニットに記憶されている前記加入者識別データが、前記モバイル端末装置にセットされた前記加入者識別モジュールカードの前記加入者識別データと一致するか否かを判断するように、前記プロセッサユニットに命令する第４のコードと、一致しないと判断した場合に、前記モバイル端末装置が、前記通信網を介して、前記モバイル端末装置にセットされた前記加入者識別モジュールカードの前記加入者識別データと、前記モバイル端末装置に関連する機器シリアルコードとを含むメッセージを、前記発呼者警報グループに送信することができるように、前記プロセッサユニットに命令する第５のコードとを含むことを特徴としている。
【発明を実施するための最良の形態】
【０００９】
本発明に係るその他の特徴および利点は、添付の図面を参照する好ましい実施の形態の説明により、さらに明らかになるであろう。
【００１０】
図１は、本発明に係る許可のない使用を報知する方法を実施するためのモバイル端末装置の構成例を示すブロック図である。なお、図１に示した好ましい実施の形態に従って構成されたモバイル端末装置１には、モバイル電話機、携帯型コンピュータ、電子ブック、パーソナルデジタルアシスタントなどが含まれる。
【００１１】
モバイル端末装置１は、ユーザ入力ユニット１１と、メモリユニット１２と、表示ユニット１４と、プロセッサユニット１３とを含んで構成され、プロセッサユニット１３に、ユーザ入力ユニット１１、メモリユニット１２及び表示ユニット１４が接続されている。また、モバイル端末装置１には、通信網との無線通信に用いられる加入者識別モジュール（ＳＩＭ）カード２がセットされるようになっている。
【００１２】
加入者識別モジュールカード２は、加入者識別モジュール通し番号、国際モバイル加入者識別コード及びモバイル加入者統合サービスデジタルネットワーク番号などの加入者識別データを含んでいる。この実施の形態に係るモバイル端末装置１は、さらに、メモリユニット１２にコンピュータプログラムが格納されている。
【００１３】
図２Ａ及び図２Ｂは、本発明の好ましい実施の形態に係る、モバイル端末装置の許可のない使用を報知する方法の手順を示すフローチャートである。なお、図２Ａは、ステップＳ１〜Ｓ１２のうちのステップＳ１〜Ｓ６、図２Ｂは同じくステップＳ７〜Ｓ１２を示す図である。
【００１４】
ステップＳ１で、コンピュータプログラムは、モバイル端末装置１の所有者が、所有者の加入者識別モジュールカード２に記憶されている加入者識別データを、モバイル端末装置１のメモリユニット１２に記憶させるように、プロセッサユニット１３を駆動する。この実施の形態では、モバイル端末装置１の所有者は、さらに、基準セキュリティコードをモバイル端末装置１のメモリユニット１２に記憶させることができるようになっている。
【００１５】
ステップＳ２で、コンピュータプログラムは、モバイル端末装置１の所有者が、ユーザ入力ユニット１１を介して、発呼者警報グループを設定することができるように、プロセッサユニット１３を駆動する。発呼者警報グループは、少なくとも１つの呼出し番号を含み、そのうちの１つがモバイル端末装置１の所有者の加入者識別モジュールカード２と関連している。
【００１６】
ステップＳ３で、コンピュータプログラムは、モバイル端末装置１が、後に起動する時に、モバイル端末装置１にセットされる加入者識別モジュールカード２に従って、通信網と通信リンクを確立することができるように、プロセッサユニット１３を駆動するとともに、通信リンクを確立する。
【００１７】
ステップＳ４で、コンピュータプログラムは、通信網と通信リンクが確立されたときに、モバイル端末装置１のメモリユニット１２に記憶されている加入者識別データが、モバイル端末装置１にセットされた加入者識別モジュールカード２の加入者識別データと一致するか否かを判断するように、プロセッサユニット１３を駆動するとともに、その判断が行われる。
【００１８】
ステップＳ４において、一致しないと判断した場合、ステップＳ５に進み、コンピュータプログラムは、モバイル端末装置１が、通信網を介して、メッセージを発呼者警報グループに送信することができるように、プロセッサユニット１３を駆動するとともに、メッセージを発呼者警報グループに送信する。メッセージは、従来のショートメッセージサービスに準拠するフォーマットを有し、モバイル端末装置１にセットされた加入者識別モジュールカード２の加入者識別データと、モバイル端末装置１に関連する機器シリアルコードとを含んでいる。
【００１９】
また、メッセージは、モバイル端末装置１と、通信網間の通信リンクに帰属するセルの場所情報とをさらに含んでいる。このため、モバイル端末装置１を紛失したり、モバイル端末装置１が盗まれた場合、モバイル端末装置１の所有者は、代替の識別モジュールカードの発行を受けた後、モバイル端末装置１に対する許可のない使用が行われたときは、いつでも、モバイル端末装置１によって送信されたメッセージを受信することができる。
【００２０】
ステップＳ４において一致すると判断した場合、ステップＳ６に進み、コンピュータプログラムは、モバイル端末装置１のユーザが、ユーザ入力ユニット１１を介して、セキュリティコードを入力することができるように、プロセッサユニット１３を駆動するとともに、ユーザにセキュリティコードが入力させる。
【００２１】
ステップＳ７で、コンピュータプログラムは、セキュリティコードが、基準セキュリティコードと一致するか否かを判断するように、プロセッサユニット１３を駆動するとともに、その判断が行われる。
【００２２】
ステップＳ７において、セキュリティコードが基準セキュリティコードと一致すると判断した場合、ステップＳ８に進み、コンピュータプログラムは、モバイル端末装置１に対する許可のない使用を報知する機能を使用可能にすること及び使用不可にすること、発呼者警報グループを設定すること及び編集すること、モバイル端末装置１の許可のない使用を報知する機能を試験すること、基準セキュリティコードを変更することなど、モバイル端末装置１がさらに動作可能なように、プロセッサユニット１３を駆動する。
【００２３】
ステップＳ７において、以前に入力されたセキュリティコードが、基準セキュリティコードと一致しないと判断した場合、ステップＳ９に進み、コンピュータプログラムは、モバイル端末装置１のユーザが、別のセキュリティコードを入力することができるように、プロセッサユニット１３を駆動するとともに、ユーザに、別のセキュリティコードを入力させる。
【００２４】
ステップＳ１０で、コンピュータプログラムは、上記の別のセキュリティコードが基準セキュリティコードと一致するか否かを判断するように、プロセッサユニット１３を駆動するとともに、その判断が行われる。ステップＳ１０で一致すると判断した場合にはステップＳ８に戻る。
【００２５】
ステップＳ１０において、上記のセキュリティコードが基準セキュリティコードと一致しないと判断した場合には、ステップＳ１１へ進み、コンピュータプログラムは、ステップＳ９およびＳ１０における試行回数が、所定の試行回数より多いか否かを判断するように、プロセッサユニット１３を駆動するとともに、その判断が実行される。多くないと判断した場合には、ステップＳ９およびＳ１０を繰り返す。
【００２６】
ステップＳ１１において、ステップＳ９およびＳ１０を行う試行回数が所定の試行回数より多いと判断した場合には、ステップＳ１２へ進み、コンピュータプログラムは、モバイル端末装置１を使用不可にする。
【００２７】
したがって、本発明の方法によれば、モバイル端末装置１を紛失したり、モバイル端末装置１が盗まれた場合、モバイル端末装置１の所有者は、許可のないユーザの加入者識別カードの加入者識別モジュールデータを知ることができ、モバイル端末装置を取り返す際、そのデータを証拠として使用することができる。
【００２８】
本発明に係る最も実用的で好ましい実施の形態に関する方法、装置等を説明してきたが、本発明は、開示した実施の形態に限定されるものではなく、最も広く解釈される技術的思想および技術的範囲に含まれる様々な構成を含むものである。したがって、すべてのそのような変更および等価の構成も本発明の技術的範囲に含まれる。
【図面の簡単な説明】
【００２９】
【図１】本発明に係る許可のない使用を報知する方法を実施するためのモバイル端末装置の構成例を示すブロック図である。
【図２Ａ】本発明の好ましい実施の形態に係る、モバイル端末装置の許可のない使用を報知する方法の手順を示すフローチャートである。
【図２Ｂ】本発明の好ましい実施の形態に係る、モバイル端末装置の許可のない使用を報知する方法の手順を示すフローチャートである。
【符号の説明】
【００３０】
１  モバイル端末装置
２  加入者識別モジュールカード
１１  ユーザ入力ユニット
１２  メモリユニット
１３  プロセッサユニット
１４  表示ユニット
【図１】
2005080266.tif 000003
【図２Ａ】
2005080266.tif 000004
【図２Ｂ】
2005080266.tif 000005